(57)【要約】      （修正有）【課題】ジグヘッドのみではなく、ラバー製のスカートを巻く部分を設けてラバージグとしても使用することができ、かつ根がかりを回避しやすく、また魚の口に針先を刺さりやすくしたオフセットフックを備えたラバージグを提供する。【解決手段】フック部１３を有する釣針本体１２が、前記フック部の端部に連続してクランク状に形成されたオフセット部１４と、前記オフセット部に連続するとともに、さらに屈曲部を経てライン２０に連結されるアイ１５を備え、前記オフセット部から屈曲部にまたがっておもり部材からなるジグヘッド２１を取り付けてオフセットフックを設けてラバージグ１１を構成する。【選択図】図１
0003162057.tif 000002
【実用新案登録請求の範囲】
【請求項１】
フック部を有する釣針本体が、
前記フック部の端部に連続してクランク状に形成されたオフセット部と、
前記オフセット部に連続するとともに、さらに屈曲部を経てラインに連結されるアイを備え、
前記オフセット部から屈曲部にまたがっておもり部材からなるジグヘッドを取り付けたことを特徴とするオフセットフックを備えたラバージグ。
【請求項２】
前記クランク状のオフセット部の縦方向の軸線と、釣針本体の針先の軸線とを近接させたことを特徴とする請求項１に記載のオフセットフックを備えたラバージグ。
【請求項３】
前記オフセット部から屈曲部にまたがって取り付けたジグヘッドが、屈曲部側に膨頭部を設けるとともに、オフセット部側の端部にフランジを形成したカラーを設けたことを特徴とする請求項１に記載のオフセットフックを備えたラバージグ。
【考案の詳細な説明】
【技術分野】
【０００１】
この考案は、ラバージグとして用いることができ、またワームの装着が可能なオフセットフックを備えたラバージグに関するものである。
【背景技術】
【０００２】
従来のこの種のラバージグとしては図４（ａ），（ｂ）および図５（ａ），（ｂ）が、オフセットジグヘッドとしては図６（ａ），（ｂ）に示すようなものが存在する。
図４（ａ），（ｂ）のものは一般的なラバージグ３１で、ストレートフックを使用したフック部３３を有する釣針本体３２が、前記フック部３３の端部にヘッド部（錘の部分）３４を形成されている。そしてヘッド部３４の下部には、ラバー製のスカート３５を取り付けるためのカラー３６が形成され、その端部にはフランジ部３７が設けてある。
図５（ａ），（ｂ）のラバージグ４１も、釣針本体４２はストレートフックを使用したフック部４３を有し、前記フック部４３の端部にヘッド部（錘の部分）４４を形成されている。その上で、根がかりを避けるために金属ワイヤや樹脂の線条からなるブラシ４５を前記ヘッド部４４に取り付けてなるものである。図において４５はラバー製のスカートである
図６（ａ），（ｂ）は従来のオフセットジグヘッド５１を示し、釣針本体５２のフック部５３の端部に連続してクランク状に形成されたオフセット部５４を備えてなるものであり、オフセット部５４と針先５３ａの間にフック部５３をまたいでワーム５５を取り付けて使用するものとなっている。
この従来のオフセットジグヘッド５１においては、釣針本体５２の部分は線径が細く、ラバーを巻くことはできない。また仮に巻いてもずれやすく、ラバージグとしては使用することができなかった。
【０００３】
また、特開２００１−７８６２６号公報（特許文献１参照）には、ヘッド部と、該ヘッド部から外方へ突出するフックと、上記ヘッド部に一端を固定されたスカートとを有するラバージグ型擬餌針が示されている。
特開２００２−２２３６８４号公報（特許文献２参照）には、浮力を有する本体と、この本体に着脱可能に取り付けられる重り部とを具備し、かつ釣針本体には端部に連続してクランク状に形成されたオフセット部を設けたワームが示されている。
特開２００８−７９６２０号公報（特許文献２参照）には、軸部及び軸部に連続する懐部を有する釣針本体と、釣針本体の軸部側端部に当該軸部の軸方向に沿って連続し、クランク状に形成されたオフセット部と、オフセット部に略直交する方向に連続し、ラインの長手方向に沿って配置された状態で当該ラインに連結される真直棒状に形成された真直部を有する連結部とを備えた釣針が示されている。
【先行技術文献】
【特許文献】
【０００４】
【特許文献１】特開２００１−７８６２６号公報
【特許文献２】特開２００２−２２３６８４号公報
【特許文献３】特開２００８−７９６２０号公報
【考案の開示】
【考案が解決しようとする課題】
【０００５】
しかしながら、上記従来例においてはオフセットジグヘッドとしてのみならず、ジグヘッド部分にラバー製のスカートを巻く部分を設けてラバージグとしても使用することができるものとはなっていなかった。
そこで、この考案の目的は、オフセットジグヘッドとしてのみならず、ラバー製のスカートを巻く部分を設けてラバージグとしても使用することができ、かつ根がかりを回避しやすく、また魚の口に針先を刺さりやすくしたオフセットフックを備えたラバージグを提供することである。
【課題を解決するための手段】
【０００６】
すなわちこの考案のオフセットフックを備えたラバージグは、フック部を有する釣針本体が、
前記フック部の端部に連続してクランク状に形成されたオフセット部と、
前記オフセット部に連続するとともに、さらに屈曲部を経てラインに連結されるアイを備え、
前記オフセット部から屈曲部にまたがっておもり部材からなるジグヘッドを取り付けたことを特徴とするものである。
【０００７】
この考案のオフセットフックを備えたラバージグは、前記クランク状のオフセット部の縦方向の軸線と、釣針本体の針先の軸線とを近接させたことをも特徴とするものである。
【０００８】
この考案のオフセットフックを備えたラバージグは、前記オフセット部から屈曲部にまたがって取り付けたジグヘッドが、屈曲部側に膨頭部を設けるとともに、オフセット部側の端部にフランジを形成したカラーを設けたことをも特徴とするものである。
【０００９】
ワームは、その頭部から釣針本体の先端に突き刺され、フック部を経てオフセット部にまで挿通される。そして、ワームの胴部に釣針本体の先端が突き刺されることにより、当該ワームは、オフセット部及び釣針本体の先端部分によって支持された状態で当該釣針に装着される。このとき、上記オフセット部が設けられているので、ワームの頭部と胴部とが略同一平面上に配置されることになり、ワームは、より自然な姿勢に保持される。
【００１０】
前記ジグヘッドは、タングステンその他の素材を用いて成形され、あるいはこれらのおもり素材を樹脂に配合して成形したものとすることができる。
また、前記ジグヘッドのオフセット部側の端部のフランジを形成したカラーに繊維束状のラバー製のスカートを巻き付けることができ、前記ワームとしてのみならずラバージグとしての使用も可能である。
【考案の効果】
【００１１】
以上のようにこの考案によれば、ジグヘッドのみではなく、ラバー製のスカートを巻く部分を設けてラバージグとしても使用することができ、かつ根がかりを回避しやすく、また魚の口に針先を刺さりやすくしたオフセットフックを備えたラバージグを提供することが可能となった。
【図面の簡単な説明】
【００１２】
【図１】この考案のオフセットフックを備えたラバージグの１実施形態を示す正面図である。
【図２】ラバージグとして使用する場合の説明図である。
【図３】ワームとして使用する場合の説明図である。
【図４】（ａ），（ｂ）はそれぞれラバージグの第１の従来例を示す正面図および使用状態を示す図である。
【図５】（ａ），（ｂ）はそれぞれラバージグの第２の従来例を示す正面図および使用状態を示す図である。
【図６】（ａ），（ｂ）はそれぞれオフセットジグヘッドの従来例を示す正面図および使用状態を示す図である。
【考案を実施するための形態】
【００１３】
以下、図面を参照しつつ、好ましい実施形態に基いてこの考案のオフセットフックを備えたラバージグを詳細に説明する。
図１に示すように、この考案のオフセットフックを備えたラバージグ１１は、フック部１３を有する釣針本体１２が、前記フック部１３の端部に連続してクランク状に形成されたオフセット部１４と、前記オフセット部１４に連続するとともに、さらに屈曲部１６を経てライン（釣糸）２０に連結されるアイ（ラインを接続される環状端部）１５を備えている。
【００１４】
図において２１は、前記オフセット部１４から屈曲部１６にまたがって取り付けられたおもり部材からなるジグヘッドである。
前記オフセット部１４から屈曲部１６にまたがって取り付けた該ジグヘッド２１は、屈曲部１６側に膨頭部２２を設けるとともに、オフセット部１４側の端部にフランジ２４を形成したカラー２３を設けたものである。前記ジグヘッド２１は、タングステンその他の素材を用いて成形され、あるいはこれらのおもり素材を樹脂に配合して成形したものとすることができる。
【００１５】
前記ジグヘッド２１のオフセット部１４側の端部のフランジ２４を形成したカラー２３には、図１および図２のように繊維束状のラバー製のスカート２５を巻き付けることができ、いわゆるラバージグとしての使用が可能である。
それとともに、図１のようにワーム用のソフトルアー２６を前記針先１２ａと前記クランク状のオフセット部１４との間にフック部１３をまたいで取り付けることもできる。
【００１６】
またこの考案のオフセットフックを備えたラバージグは、図３に示すように、前記クランク状のオフセット部１４の縦方向の軸線と、釣針本体１２の針先１２ａの軸線とを近接させたものとしてあり、ワーム用のソフトルアー２６を前記針先１２ａと前記クランク状のオフセット部１４との間にフック部１３をまたいで取り付けることにより、いわゆるワームとしても使用することができる。
【００１７】
ワーム用ソフトルアー２６は釣針本体１２の先端に突き刺されて前記針先１２ａを隠すことにより、高い確率で根がかりを回避することができる。
そして、魚がオフセットフックを備えたラバージグをくわえた時の根がかりを防止する確率は、前記金属ワイヤや樹脂の線条からなるブラシによる根がかり防止のガード作用よりも高くなる。
【００１８】
このとき、前記クランク状のオフセット部１４の縦方向の軸線と、釣針本体１２の針先１２ａの軸線とを近接させているので、ワームの頭部と胴部とが略同一平面上に配置されることになり、ワームは、より自然な姿勢に保持されることとなり、極めて良好な釣果を得ることができる。
【産業上の利用可能性】
【００１９】
この考案のオフセットフックを備えたラバージグは、いわゆるラバージグとしてのみならずワームとしても使用することができ、もちろんその他の機能を備えたルアーとしても利用できることはいうまでもない。
【符号の説明】
【００２０】
１１  ラバージグ
１２  釣針本体
１２ａ  針先
１３  フック部
１４  オフセット部
１５  アイ
１６  屈曲部
２０  ライン（釣糸）
２１  ジグヘッド
２２  膨頭部
２３  カラー
２４  フランジ
２５  ラバー製のスカート
２６  ソフトルアー
【図１】
0003162057.tif 000003
【図２】
0003162057.tif 000004
【図３】
0003162057.tif 000005
【図４】
0003162057.tif 000006
【図５】
0003162057.tif 000007
【図６】
0003162057.tif 000008